(57)【要約】【課題】本発明は、移動側レールが固定側レールより最も引き出された状態で一旦停止し、必要に応じて、移動側レールを抜き出すことが出来る抜き出し可能なスライドレールに関し、移動側レールが最も引き出された状態でも固定側レールが露見しない抜き出し可能なスライドレールを提供することを課題とする。【解決手段】固定側部材に連結される固定側レールと、ボ−ルリテーナを介して固定側レールに対して引き出し可能に支持される移動側レールと、固定側レールより移動側レールを抜き出し可能とする抜け止め解除用レバー等から成る抜き出し可能なスライドレールにおいて、移動側部材が固定側部材から最大引き出された状態であっても、固定側レールは、移動側部材によって隠蔽される長さに設定されているものである。【選択図】    図５
2018011628.tif 000002
【特許請求の範囲】
【請求項１】
固定側部材に連結される固定側レールと、ボールを回転自在に保持するボ−ルリテーナを介して固定側レールに対して引き出し可能に支持される移動側レールと、固定側レールより移動側レールを抜き出し可能とする抜け止め解除用レバー等から成る抜き出し可能なスライドレールにおいて、移動側レールに連結された移動側部材が固定側部材に収納された状態であっても、移動側部材が固定側部材から最大引き出された状態であっても、固定側レールは、移動側部材によって隠蔽される長さに設定され、移動側レールが移動側部材と共に固定側レールから抜き出されたとき、抜け止め解除用レバーは、固定側レールの先端側で、固定側レールと共に固定部材側に残ることを特徴とする抜き出し可能なスライドレール。
【請求項２】
ボ−ルリテーナは移動側レールと共に固定側レールより抜き出されることを特徴とする請求項１に記載の抜き出し可能なスライドレール。
【請求項３】
抜け止め解除用レバーのストッパー部に衝突して、移動側レールが一旦停止するストッパー突部がボ−ルリテーナに形成されていることを特徴とする請求項２に記載の抜き出し可能なスライドレール。
【請求項４】
ストッパー突部の通過可能位置までストッパー部を弾性変移させる抜け止め解除用レバーの操作部が、外部から操作可能に移動側レールの外方に突出して設けられ、移動側部材に上方から隠蔽されていることを特徴とする請求項３に記載の抜き出し可能なスライドレールである。
【請求項５】
抜け止め解除用レバーの操作部と、操作部に連設された弾性変移部と、弾性変移部に連設された取り付け用基板は、固定側レールの基板の裏面側に位置し、ストッパー部は固定側レールの基板の表面側に位置するよう合成樹脂材にて一体に形成されていることを特徴とする請求項４に記載の抜き出し可能なスライドレール。
【発明の詳細な説明】
【技術分野】
【０００１】
本発明は、抽斗、機器類等が本体より最も引き出された状態で一旦停止し、必要に応じて簡単な操作で、抽斗、機器類等（移動側レール）を本体（固定側レール）から抜き出すことが出来ると共に、その装着が容易な抜き出し可能なスライドレールに関するものである。
【背景技術】
【０００２】
従来上記スライドレールは、家具本体等の固定側部材に設けられた固定側レールと、固定側レールに摺動自在とした移動側レールと、両レール間でボールを回転自在に保持するボールリテーナからなり、固定側レールの前端部内面にストッパー突部を有する案内部材を設け、案内部材に対応して、ストッパー部材の後端部が移動側レールの後端部内面に回動自在に取り付けられたスライドレールにおいて、ストッパー部材は移動側メンバーが引き出された時に、ストッパー突部の後面に当接するストッパー段部と、ストッパー突部の当接状態を解除する操作部と、ストッパー段部を常にストッパー突部の当接位置に維持する弾性脚部が合成樹脂材にて一体に形成されたものである。
（特許文献１参照）
【０００３】
この場合、移動側部材（移動側レール）の引き出し途中から、移動側部材（移動側レール）の引き出し最大位置（ストッパー突部にストッパー段部が当接した状態）までの間、常に、固定側レールは固定側部材内に露呈することと成っていた。
すなわち、上方から内部を覗き込むように展示される陳列ケース、例えば貴金属の陳列ケースに上記スライドレールが使用されている場合、客が手にとって見たり、あるいは身につけたりするため、貴金属が収納された陳列トレーを陳列ケース内のから取り出す必要が生じたとき、陳列トレー（移動側部材）を陳列ケール外に引き出すと、引き出された元の位置に固定側レールが露呈し、陳列ケース内の美観を損なうことにもなっていた。
【０００４】
又、スライドレールの上下間の寸法が小さく、奥行寸法の大きい収納体に使用されている場合、移動側レール（抽斗等の移動側部材）をすべて抜き出したとき、この上下方向に複数段、且つ、奥行き方向ほぼ全幅に渡って配設された固定側レールが、収納体内部の清掃の妨げとなり、清掃に必要以上の手間と時間がかかっていた。
【０００５】
一方、上記スライドレールの場合、移動側レールが抜き出された状態で、ボールリテーナが固定側レールに配設された状態で残留する。そして、抜き出された移動側レールを再び固定側レールに装着する時には、残留したボールリテーナが固定側レールの前端部に位置させておく必要がある。（固定側レールと移動側レール間にボールリテーナに回動自在に保持されたボールを介在させる構成であるから。）このため、固定側レールとボールリテーナ間にそのための不用意にボールリテーナが後方に移動しないよう、ボールリテーナを固定側レールの前端部に保持するための保持部材を設ける必要があり、コストアップにつながっていた。
【０００６】
一方、保持部材を設けない場合、抜き出された移動側レールを再び固定側レールに装着する時、ボールリテーナが固定側レールの前端部に位置しているかどうかの確認、あるいは、前端部に位置させる作業が必要となり、非常に煩雑であった。
さらに、上記スライドレールの場合、抜き出された移動側レールにストッパー部材が取り付けられているので、移動側レールが抜き出されて状態でストッパー部材が外部に直接露呈する。したがって、移動側レールが移動側部材と共に持ち運びされたとき、他物品との衝突などのよって、不測にストッパー部材が破損することもあった。
【先行技術文献】
【特許文献】
【０００７】
【特許文献１】実公平５−１３２２３号公報
【発明の概要】
【発明が解決しようとする課題】
【０００８】
本発明は、上記問題に鑑み、簡単な構成で、スライドストロークに影響を与えず、移動側レールの摺動途中は、固定側レール、及び、ストッパー部材が露呈することなく、移動側レールが抜き出された状態で、固定側部材内の清掃も容易で、抜き出された移動側レールにボールリテーナを保持することで、ボールリテーナの位置確認、及び、固定側レールへの装着も容易で、ストッパー部材は、移動側レールが抜き出された状態で、固定部材側（固定側レール）に位置しているので、外部要因による破損事故の恐れも低下する、抜き出し可能なスライドレールを提供することを課題とする。
【課題を解決するための手段】
【０００９】
上記課題を解決する為、本発明が第１の手段として構成したところは、固定側部材に連結される固定側レールと、ボールを回転自在に保持するボ−ルリテーナを介して固定側レールに対して引き出し可能に支持される移動側レールと、固定側レールより移動側レールを抜き出し可能とする抜け止め解除用レバー等から成る抜き出し可能なスライドレールにおいて、移動側レールに連結された移動側部材が固定側部材に収納された状態であっても、移動側部材が固定側部材から最大引き出された状態であっても、固定側レールは、移動側部材によって隠蔽される長さに設定され、移動側レールが移動側部材と共に固定側レールから抜き出されたとき、抜け止め解除用レバーは、固定側レールの先端側で、固定側レールと共に固定部材側に残るものである。
【００１０】
上記課題を解決する為、本発明が第２の手段として構成したところは、上記第１の手段としての構成に加え、ボ−ルリテーナは移動側レールと共に固定側レールより抜き出されるものである。
【００１１】
上記課題を解決する為、本発明が第３の手段として構成したところは、上記第２の手段としての構成に加え、抜け止め解除用レバーのストッパー部に衝突して、移動側レールが一旦停止するストッパー突部がボ−ルリテーナに形成されているものである。
【００１２】
上記課題を解決する為、本発明が第４の手段として構成したところは、上記第３の手段としての構成に加え、ストッパー突部の通過可能位置までストッパー部を弾性変移させる抜け止め解除用レバーの操作部が、外部から操作可能に移動側レールの外方に突出して設けられ、移動側部材に上方から隠蔽されているものである。
【００１３】
上記課題を解決する為、本発明が第５の手段として構成したところは、上記第４の手段としての構成に加え、抜け止め解除用レバーの操作部と、操作部に連設された弾性変移部と、弾性変移部に連設された取り付け用基板は、固定側レールの基板の裏面側に位置し、ストッパー部は固定側レールの基板の表面側に位置するよう合成樹脂材にて一体に形成されているものである。
【発明の効果】
【００１４】
本発明の第１の手段として構成したところによると、移動側レールに連結された移動側部材が固定側部材に収納された状態であっても、移動側部材が固定側部材から最大引き出された状態であっても、固定側レールは、移動側部材によって隠蔽される長さに設定されているから、移動側部材が引き出された状態であっても、固定側部材（陳列ケース）内に収納された展示商品の美観を損なうことなく、移動側部材（移動側レール）を抜き出した状態で、固定側部材内の清掃も容易である。
又、移動側レールが移動側部材と共に固定側レールから抜け出したとき、抜け止め解除用レバーは、固定側レールの先端側で、固定側レールと共に固定部材側に残るもので外部要因による破損事故の恐れも低下する。
【００１５】
本発明の第２の手段として構成したところによると、第１の手段として構成したところの効果に加え、ボ−ルリテーナは移動側レールと共に固定側レールより抜き出されるので、ボールリテーナの位置確認、あるいは移動側レールの後端部側への移動も指先で目視しながら行えるので、移動側レールの固定側レールへの装着も容易である。
【００１６】
本発明の第３の手段として構成したところによると、第２の手段として構成したところの効果に加え、抜け止め解除用レバーのストッパー部に衝突して、移動側レールが一旦停止するストッパー突部がボ−ルリテーナに形成されているから、ボールリテーナは、常に移動側レールの後端部に保持された状態で抜き出されるので、固定側レールに再び装着するとき、段取り良く装着することが出来る。
【００１７】
本発明の第４の手段として構成したところによると、第３の手段として構成したところの効果に加え、ストッパー突部の通過可能位置までストッパー部を弾性変移させる抜け止め解除用レバーの操作部が、移動側部材に隠蔽され、外部から操作可能に移動側レールの外方に突出して設けられているので、移動側部材が引き出された状態で、不用意に抜き出される恐れはなく、又、操作するときは容易に行うことが出来る。
【００１８】
本発明の第５の手段として構成したところによると、第４の手段として構成したところの効果に加え、抜け止め解除用レバーの操作部と、弾性変移部と、取り付け用基板は、固定側レールの基板の裏面側に位置し、ストッパー部は固定側レールの基板の表面側に位置するよう構成されているので、ボールリテーナのストッパー突部がストッパー部に当接した状態で移動側レールが強く引き出されようとしても、ストッパー部と取り付け用基板等で固定側レールの基板前端部を挟持する状態となっているので、ストッパー突部が容易に変移することがなく確実に移動側レールの一旦停止状態を維持する。
又、操作部と、弾性変移部と、取り付け用基板と、ストッパー部は合成樹脂材にて一体に成形されているので、部品点数が少なくてすみ、安価に製作でき、部品管理も容易である。
【図面の簡単な説明】
【００１９】
【図１】本発明のスライドレールの移動側レール収納状態の斜視図である。
【図２】図１のＡ−Ａ線拡大断面図」である。
【図３】本発明のスライドレールの移動側レールの引き出し状態の斜視図である。
【図４】図３に対応する状態の裏面側の斜視図である。
【図５】本発明のスライドレールの分解斜視図である。
【図６】抜け止め解除用レバーの斜視図である
【図７】抜け止め解除用レバーの裏面側の斜視図である。
【図８】図２のＢ−Ｂ線縮小断面図である。
【図９】抜け止め解除用レバー操作時の図８に対応する断面図である。
【図１０】移動側レール装着時の図８に対応する断面図である。
【図１１】図８のＣ−Ｃ線断面図である。
【図１２】スライドレールの配設状態を示す裏面側の斜視図である。
【図１３】スライドレールの配設状態を示す要部正面図である。
【発明を実施するための最良の形態】
【００２０】
固定側部材に連結される固定側レールと、ボールを回転自在に保持するボ−ルリテーナを介して固定側レールに対して引き出し可能に支持される移動側レールと、固定側レールより移動側レールを抜き出し可能とする抜け止め解除用レバー等から成る抜き出し可能なスライドレールにおいて、移動側レールに連結された移動側部材が固定側部材に収納された状態であっても、移動側部材が固定側部材から最大引き出された状態であっても、固定側レールは、移動側部材によって隠蔽される長さに設定され、移動側レールが移動側部材と共に固定側レールから抜き出されたとき、抜け止め解除用レバーは、固定側レールの先端側で、固定側レールと共に固定部材側に残り、ボ−ルリテーナは抜け止め解除用レバーのストッパー部に衝突して、移動側レールを一旦停止させるストッパー突部を有し、移動側レールと共に固定側レールより抜き出され、ストッパー突部の通過可能位置までストッパー部を弾性変移させる抜け止め解除用レバーの操作部は、外部から操作可能に移動側レールの外方に突出して設けられると共に、移動側部材に上方から隠蔽され、抜け止め解除用レバーは操作部と、操作部に連設された弾性変移部と、弾性変移部に連設された取り付け用基板と、ストッパー部が合成樹脂材にて一体に形成され、弾性変移部と、取り付け用基板は固定側レールの基板の裏面側に位置し、ストッパー部は固定側レールの基板の表面側に位置しているものである。
【実施例】
【００２１】
実施例のスライドレールの基本的構成を図１、図５に基づいて説明する。
スライドレール１００は、家具等の本体の固定側部材Ｅの上面に連結ネジ等で連結される固定側レール取り付け基台１０の上面に固着された固定側レール１と、固定側レール１に対し、ボールリテーナ３に回転自在に保持された複数個のボール３０・・・を介して摺動自在に設けられた移動側部材Ｆと連結される移動側レール２と、固定側（固定側レール１及び固定側レール取り付け基台１０）の先端部に設けられた抜け止め解除用レバー５より構成されている。
以下、図１において左側斜め下方向を引き出し側（先端側）、右側斜め上方向を収納側（後端側）として説明する。
【００２２】
固定側レール１は、固定側レール取り付け基台１０とほぼ同等の長さで、金属製の細長条板の短手両端部（左右両端部）を外向き円弧状に折り曲げて形成された外面長手方向（摺動方向）にボール案内溝を有する左右折曲縁１１、１１と、基板１２より断面略上向きＣ字形に形成されている。
そして、移動側レール２が収納状態に移動する時、ボール３０・・・がスリップしてもボールリテーナ３を所定位置まで強制的に移動させるためのリテーナ移動用突部１２１と、抜け止め解除用レバー５を取り付けるためのレバー連結孔１２２、１２２（図５）が基板１２の所定位置に設けられている。
連結孔１２２、１２２が基板１２の左右端部側に左右対称に設けられているのは、固定側レール１を左右兼用として使用するためである。
【００２３】
固定側レール１が固着されている固定側レール取り付け基台１０は、固定側レール１の基板１２が固着される、基板１２とほぼ同長の上面板１０１と、上面板１０１の左右端部を前後方向に所定間隔を有して下方に折り曲げられた略Ｌ字形の連結用脚部１０２・・・と、連結用脚部１０２・・・間で、移動側レール２の左右端部側に、上面板１０１から上方に突出する左右の変形防止突片１０３・・・より形成されている。
【００２４】
そして、上面板１０１には固定側レール１のレバー連結孔１２２、１２２に対応してレバー取り付け孔１０４、１０４と、抜け止め解除用レバー５の取り付け時の位置決めを行うための位置決め孔１０５が形成され、連結用脚部１０２・・・には固定側部材に連結するための固定側レール取り付け孔１０６・・・が形成されている。
尚、左右の変形防止突片１０３は、不測の力よって移動側レール２が変形し、固定側レール１から移動側レール２が脱落する（例えば、移動側レール２が最も引き出された際に、先端部分に不用意に重量物が載置され、移動側レール２の後端部が浮き上がるとき、移動側レール２の左右端部が広がる）のを防止するため設けられたものである。
【００２５】
移動側レール２は、実施例では固定側レール１の約５倍弱の長さで、金属製の細長条板の短手両端部を内向き円弧状に折り曲げて形成された内面長手方向（摺動方向）にボール案内溝を有する左右折曲縁２１、２１と、基板２２より固定側レール１に対向する断面略下向きＣ字形に形成されている。
【００２６】
そして、基板２２の引き出し側端部には、前記固定側レール１方向に突出し、移動側レール２が収納方向に最も移動した状態（移動側レール２の収納状態。図１に示す状態。）
で、抜け止め解除用レバー５の先端部分に衝突して、移動側レール２の摺動が停止するレール収納時ストッパー２２０が形成され、基板２２の収納側端部には前記固定側レール１方向に突出し、移動側レール２が引き出し方向に最も移動した状態（移動側レール２の引き出し状態。図３に示す状態。）で、ボールリテーナ３の後端部が当接し、ボールリテー３の停止と共に移動側レール２の摺動が停止するレール引き出し時ストッパー２２１が形成されている。
【００２７】
ボールリテーナ３は帯条金属板にて移動側レール２より所定寸法短くした、固定側レール１と移動側レール２間に挿入可能な大きさの基板３１と、固定側レール１と固定側レール２の各左右折曲縁１１、１１、２１、２１間に位置する左右突出縁３２、３２より断面下向き略コ字形に形成され、左右突出縁３２、３２の長手方向（摺動方向）数個所でボール３０・・・を回転自在に保持している。
【００２８】
そして、基板３１の先端部側には前記固定側レール１のリテーナ移動用突部１２１に対応してリテーナ移動用突起３１１が形成され、基板３１の後端部には移動側レール２の引き出し時ストッパー２２１に対応して、リテーナ引き出し時ストッパー３１２が形成され、移動側レール２が最も引き出された時に、リテーナ出し時ストッパー３１２に移動側レール２の引き出し時ストッパー２２１が当接すると、同時に抜け止め解除用レバー５の一部に当接し、移動側レール２の摺動を停止させるストッパー突部３１３が、基板３１の後端部よりに形成されている。
ストッパー突部３１３は収納側端部に案内円弧部３１４が形成された収納側に向かって先細り状に形成されている。  
【００２９】
符号３１４は、固定側レール１のリテーナ移動用突部１２１に対応して形成されたリテーナ強制移動突起を示し、符号３１０は、リテーナ出し時ストッパー３１２に移動側レール２の引き出し時ストッパー２２１が当接した状態で、ボール３０・・が移動側レール２の左右折曲縁２１、２１の後端部に位置し、抜き出された移動側レール２とボールリテーナ３を固定側レール１に装着する際、ボール３０・・が固定側レール１のボール案内溝に容易に位置するよう、基板３１の後端部に形成されたリテーナ位置決め用切り欠き部を示している。
尚、リテーナ位置決め用切り欠き部３１０を設けることによって、ボールリテーナ３の左右突出縁３２、３２の収納側端部が強度的に低下するので、これを避けるため切り欠き部３１０を形成しない場合は、移動側レール２の収納側端部に実公昭６２−１１４８１号公報に示すような案内部材を設けてもよい。
また、前記案内の役割の他、切り欠き３１０を設けることによってボールリテーナ３を移動側レール２の端部まで延ばすことができるので、ボールリテーナ３に保持されるボール３０の個数を多くできる。したがって、固定側レール１を保持するボール３０の個数が多くなるので、移動側レール２をより安定的に動作させることが可能である。
【００３０】
抜け止め解除用レバー５は、固定側レール１の基板１２の裏面側（実施例では、固定側レール取り付け基台１０の上面板１０１の下面）に連結される取り付け用基板５１と、取り付け用基板５１の引き出し側に連設された弾性変移部５２と、弾性変移部５２の引き出し側に連設された変移ストッパー部６が合成樹脂材にて一体に成形されている。
そして、変移ストッパー部６には、浮き上がり防止部６０と、浮き上がり防止部６０の引き出し側端部で固定側レール１の引き出し側の外部に位置する操作部６１と、補強突部６２と、収納当接部６４と、収納当接部６４の収納側で、固定側レール１の基板１２の表面側に位置してストッパー部６３が設けられている。
【００３１】
取り付け用基板５１には、前記固定側レール取り付け基台１０の位置決め孔１０５に対応して、位置決め用突起５１１、５１１と、レバー取り付け孔１０４、１０４に対応して、前記固定側レール取り付け基台１０を介して固定側レール１にリベット止めするためのリベット孔５１２、５１２が形成されている。
【００３２】
弾性変移部５２は、中央部に中央変移用間隙５２１を有する横向きＵ字形で、取り付け用基板５１間と、変移ストッパー部６間に、第１、第２変移用間隙５２２、５２３を有している。
変移ストッパー部６の浮き上がり防止部６０は、取り付け用基板５１、弾性変移部５２と共に、固定側レール取り付け基台１０の上面板１０の裏面側に位置し、ストッパー部６３と共に、固定側レール１の基板１２の引き出し側端部（上面板１０の引き出し側端部）を挟持し、ストッパー部６３にボールリテーナのストッパー突部３１３が衝突したときに、ストッパー部６３が上下方向に変移するのを防止している。
符号６０１は、成形時にストッパー部６３を形成するための抜き穴を示している。
【００３３】
操作部６１は、浮き上がり防止部６０の引き出し側の右側端部から、固定側レール１の引き出し側の外部に位置して、右側外方に突出し、移動側レール２の右折曲縁２１の外側で、移動側レール３に連結される移動側部材Ｆの下面から操作可能な位置で、且つ、移動側部材Ｆに上方から隠蔽されている。
【００３４】
補強突部６２は、操作部６１の付け根側下面から下向きに突出し、下面がほぼ固定側部材Ｆの上面に当接する厚みに形成され、移動側レール２に不測の引き出し力が付加され、ストッパー部６３にボールリテーナのストッパー突部３１３が衝突したとき、下面が固定側部材Ｆの上面に当接して、ストッパー突部３１３がストッパー部６３を乗り越えるのを防止している。
【００３５】
収納当接部６４は、操作部６１の付け根側で引き出し側の前面に設けられ、前面に波形突部６４１が形成され、移動側レール２の収納時に、移動側レール２のレール収納時ストッパー２２０が衝突した時の衝撃を緩和している。
【００３６】
ストッパー部６３は、収納当接部６４の上端部から、収納側に突出し後半部が基板１２の引き出し側端部の上面と重合する、引き出し側を頂点とする、左右傾斜部６３０、６３１、当接ストッパー部６３２より平面視略三角形状に形成されている。
そして、右傾斜部６３１の引き出し側端部は、ストッパー突部３１３の左側に位置し、収納側端部はストッパー突部３１３の右側に突出する位置に形成されている。
【００３７】
抜き出された移動側レ−ル２と移動側レール２に保持されたボールリテーナ３が固定側レ−ル１に装着されるとき、ストッパー突部３１３の案内円弧部３１４が接触して、図１０において、ストッパー部６３を左側方向押しやりながら収納方向に移動し、ストッパー突部３１３の引き出し側端部が傾斜部６３１の収納側端部より収納側に位置すると同時に弾性によって、所定位置に戻り当接ストッパー部６３２がストッパー突部３１３の移動線上に位置し、ボールリテーナ３（移動側レール２）が不用意に抜け出すのを防止する。
【００３８】
本発明は以上の如く構成され、固定側レール１から移動側レール２が抜き出された状態で、抜け止め解除用レバー５が連結され、固定側レール１に固着された固定側レール取り付け基台１０を固定側部材Ｆにネジ留め連結し、次に、移動側部材Ｅに連結された移動側レール２と、ボールリテーナ３を前述したように固定側レール１に装着し、移動側部材Ｅが固定側部材Ｆに最も収納された状態とする。
【００３９】
この状態で、固定側レール１（固定側レール取り付け基台１０）、抜け止め解除用レバー５は移動側部材Ｅの移動側左右端部下面に位置し、移動側部材Ｅによって隠蔽された状態となっている。
この状態から、移動側部材Ｅを引き出していくと、移動側部材Ｅに連結された移動側レール２は引き出し方向に摺動し、同時にボールリテーナ３も移動側レールの移動距離の２分の１移動し、やがて、移動側レールのレール引き出し時ストッパー２２１、２２１が、
リテーナ引き出し時ストッパー３１２、３１２に当接すると同時に、ボールリテーナ３のストッパー突部３１３が抜け止め解除用レバー５のストッパー部６３の当接ストッパー部６３２に当接して、移動側レール２とボールリテーナ３（移動側部材Ｅ）の摺動（引き出し移動）は停止する。
【００４０】
この状態で、固定側レール１（固定側レール取り付け基台１０）、抜け止め解除用レバー５は移動側部材Ｅの収納側左右端部下面に位置し、移動側部材Ｅによって隠蔽された状態となっている。
そして、移動側部材Ｅを固定側部材Ｆより抜き出すときは、移動側部材Ｅの収納側左右端部の下面側より指先で、抜け止め解除用レバー５の操作部６１の先端側を引き出し方向で内側（図８において時計廻りの方向）に押しやると、弾性変移部５２の中央変移用間隙５２１が開くように弾性変形し、ストッパー部６３の当接ストッパー部６３２がボールリテーナ３のストッパー突部３１３に移動線上から退避する（図９に示す状態）ので、この状態を維持しながら、移動側部材Ｅ（移動側レール２、ボールリテーナ３）を固定側部材Ｆｚ８固定側レール１（固定側レール取り付け基台１０）より抜き出す。
【産業上の利用可能性】
【００４１】
以上詳述したように、本発明は、貴金属の陳列ケース内から陳列トレーを取り出し際スライドレールとして使用することができ、広範囲で利用可能である。
【符号の説明】
【００４２】
１              固定側レール
１１、１１      上下折曲縁
１００          スライドレール
２              移動側レール
２１、２１      上下折曲縁
３              ボールリテーナ
３１３          ストッパー突部
５              抜け止め解除用レバー
５１            取り付け用基板
５２            弾性変移部
６              変移ストッパー部
６１            操作部
６３            ストッパー部
【図１】
2018011628.tif 000003
【図２】
2018011628.tif 000004
【図３】
2018011628.tif 000005
【図４】
2018011628.tif 000006
【図５】
2018011628.tif 000007
【図６】
2018011628.tif 000008
【図７】
2018011628.tif 000009
【図８】
2018011628.tif 000010
【図９】
2018011628.tif 000011
【図１０】
2018011628.tif 000012
【図１１】
2018011628.tif 000013
【図１２】
2018011628.tif 000014
【図１３】
2018011628.tif 000015